(57)【要約】 本発明は、従来よりも据付作業性が向上する空気調和機の室内機を得ることを目的とする。本発明に係る空気調和機の室内機の筐体は、室内機本体と、室内機本体の下部に取り付けられたケースメントと、ケースメントの下部に取り付けられた化粧パネルとで構成されている。室内機本体には、第１接続部材が取り付けられている。ケースメントには、第１接続部材の下方に第２接続部材が取り付けられ、第２接続部材の下方に第３接続部材が取り付けられている。第３接続部材には、第４接続部材が摺動自在に取り付けられている。第１接続部材と第２接続部材とをネジ固定することで、室内機本体とケースメントとが固定される。第４接続部材と化粧パネルとをネジ固定することで、ケースメントと化粧パネルとが固定される。第４接続部材を移動させることにより、第１接続部材と第２接続部材とを固定する雄ネジの下方に、該雄ネジをねじ込む工具が挿入自在な空間が形成される。
2019123638.tif 000002
【特許請求の範囲】
【請求項１】
室内機本体と、  前記室内機本体の下部に取り付けられたケースメントと、  前記ケースメントの下部に取り付けられた化粧パネルと、  前記室内機本体と前記ケースメントとを固定し、前記ケースメントと前記化粧パネルとを固定する据付機構と、  を備え、  前記据付機構は、  前記室内機本体に取り付けられ、第１雌ネジが形成された第１接続部材と、  前記第１接続部材の下方となる位置において前記ケースメントに取り付けられ、前記第１雌ネジにねじ込まれる第１雄ネジが貫通する第１貫通穴が形成された第２接続部材と、  前記第２接続部材の下方となる位置において前記ケースメントに取り付けられ、第２雌ネジが形成された第３接続部材と、  前記第３接続部材に摺動自在に設けられ、前記第２雌ネジにねじ込まれる第２雄ネジが貫通する第２貫通穴と、第３雌ネジが形成された第４接続部材と、  を備え、  前記化粧パネルには、前記第３雌ネジにねじ込まれる第３雄ネジが貫通する第３貫通穴が形成されており、  前記第１雌ネジにねじ込まれた前記第１雄ネジの頭部と前記第１接続部材の下面との間で前記第２接続部材を挟み込むことにより、前記室内機本体に前記ケースメントが固定され、  前記第２雌ネジにねじ込まれた前記第２雄ネジの頭部と前記第３接続部材の下面との間で前記第４接続部材を挟み込むことにより、前記第３接続部材に前記第４接続部材が固定され、  前記第３接続部材に前記第４接続部材が固定された状態において、前記第３雌ネジにねじ込まれた前記第３雄ネジの頭部と前記第４接続部材の下面との間で前記化粧パネルを挟み込むことにより、前記ケースメントに前記化粧パネルが固定される構成であり、  前記第４接続部材を移動させることにより、前記第１雄ネジの下方に、該第１雄ネジをねじ込む工具が挿入自在な空間が形成される構成である空気調和機の室内機。
【請求項２】
前記第４接続部材には、第４貫通穴が形成され、  前記第３接続部材は、横方向に突出し、前記第４貫通穴に摺動自在に挿入された凸部を有し、  前記凸部が前記第４貫通穴から抜け出ることを防止するストッパーを備えた請求項１に記載の空気調和機の室内機。
【請求項３】
前記凸部は、前記空間が形成される位置に前記第４接続部材が移動した状態において前記第４貫通穴と対向する位置に、切り欠き部を有し、  前記切り欠き部に前記第４貫通穴の周縁をかみ合わせることにより、前記第４接続部材が固定される構成である請求項２に記載の空気調和機の室内機。
【請求項４】
前記第２雄ネジを備え、  前記第４接続部材は、上下方向に延びる上下方向配置部と横方向に延びる横方向配置部とを有し、前記上下方向配置部及び前記横方向配置部によって断面Ｌ字状に形成され、  前記第２貫通穴は、前記横方向配置部から前記上下方向配置部に跨がって形成され、  前記ケースメントに前記化粧パネルが固定された状態においては、前記上下方向配置部は、前記第２雄ネジと前記ケースメントとの間に配置され、  前記第２雄ネジが前記第２雌ネジに規定長さ以上ねじ込まれた状態においては、前記第２貫通穴の上端は前記第２雄ネジの先端より低い位置となる請求項１〜請求項３のいずれか一項に記載の空気調和機の室内機。
【請求項５】
前記第１雄ネジと、  可撓性を有し、前記第１雄ネジを保持し、前記ケースメントに取り付けられた雄ネジ保持部材と、  を備えた請求項１〜請求項４のいずれか一項に記載の空気調和機の室内機。
【発明の詳細な説明】
【技術分野】
【０００１】  本発明は、空調対象空間の天井に埋め込まれて、あるいは空調対象空間の天井に吊り下げられて設置される空気調和機の室内機の据付構造に関するものである。
【背景技術】
【０００２】  従来の空気調和機の室内機には、空調対象空間の天井に埋め込まれて、あるいは空調対象空間の天井に吊り下げられて設置されるものが存在する。このように設置される従来の室内機としては、例えば、筐体の下面部の略中央部に開口した吸込口と、下面部において該吸込口の四方を囲むように開口した４つの吹出口とを備え、熱交換器で熱交換後の空気を四方に吹き出すことが出来る室内機が知られている。さらに、このように設置される従来の室内機には、室内機本体、ケースメント及び化粧パネルで筐体を構成するものも提案されている（例えば、特許文献１参照）。ケースメントは、据付機構により、室内機本体の下部に取り付けられる。化粧パネルは、据付機構により、ケースメントの下部に取り付けられる。例えば、特許文献１に記載の室内機では、ケースメントに、吹出口から吹き出される空気の横方向の角度を調節する左右風向調節部が設けられている。
【先行技術文献】
【特許文献】
【０００３】
【特許文献１】特開２０１０−２１０１３２号公報
【発明の概要】
【発明が解決しようとする課題】
【０００４】  室内機本体、ケースメント及び化粧パネルで筐体が構成された従来の空気調和機の室内機においては、当該室内機を据え付ける際、ケースメントに設けられた左右風向調節部等の構成を用いない場合には、ケースメントを設けない場合がある。すなわち、ケースメントを設ける場合、室内機本体の下部にケースメントが取り付けられ、ケースメントの下部に化粧パネルが取り付けられる。また、ケースメントを設けない場合、室内機本体の下部に化粧パネルが取り付けられる。【０００５】  一般的に、室内機本体及びケースメントは、平面視において室内機本体及びケースメントの角部に配置された据付機構で固定される。この際、空調対象空間の天井に取り付けられた室内機本体に、ケースメントが固定されることとなる。このため、据付作業者は、室内機本体及びケースメントの下方から工具を据付機構の雄ネジに接続し、該雄ネジを締めて室内機本体及びケースメントを固定することとなる。同様に、ケースメント及び化粧パネルも、平面視においてケースメント及び化粧パネルの角部に配置された据付機構で固定される。この際も、室内機本体及びケースメントを固定する場合と同様に、据付作業者は、ケースメント及び化粧パネルの下方から工具を据付機構の雄ネジに接続し、該雄ネジを締めてケースメント及び化粧パネルを固定することとなる。【０００６】  すなわち、従来の空気調和機の室内機においては、ケースメントを設ける場合、ケースメント及び化粧パネルを固定する据付機構が、室内機本体及びケースメントを固定する据付機構の下方に配置される。そして、従来の空気調和機の室内機においては、室内機本体及びケースメントを固定する際、ケースメント及び化粧パネルを固定する据付機構が邪魔になり、室内機本体及びケースメントを固定する据付機構の雄ネジに工具を接続することができない。このため、従来の空気調和機の室内機においては、室内機本体及びケースメントを固定する際、ケースメント及び化粧パネルを固定する据付機構の少なくとも一部を一旦取り外し、取り外した部品を一時的に仮置きする必要があった。したがって、ケースメント及び化粧パネルで筐体が構成された従来の空気調和機の室内機は、据付作業性が悪いという課題があった。【０００７】  本発明は、上記の課題を解決するためになされたもので、従来よりも据付作業性が向上する空気調和機の室内機を得ることを目的とする。
【課題を解決するための手段】
【０００８】  本発明に係る空気調和機の室内機は、室内機本体と、前記室内機本体の下部に取り付けられたケースメントと、前記ケースメントの下部に取り付けられた化粧パネルと、前記室内機本体と前記ケースメントとを固定し、前記ケースメントと前記化粧パネルとを固定する据付機構と、を備え、前記据付機構は、前記室内機本体に取り付けられ、第１雌ネジが形成された第１接続部材と、前記第１接続部材の下方となる位置において前記ケースメントに取り付けられ、前記第１雌ネジにねじ込まれる第１雄ネジが貫通する第１貫通穴が形成された第２接続部材と、前記第２接続部材の下方となる位置において前記ケースメントに取り付けられ、第２雌ネジが形成された第３接続部材と、前記第３接続部材に摺動自在に設けられ、前記第２雌ネジにねじ込まれる第２雄ネジが貫通する第２貫通穴と、第３雌ネジが形成された第４接続部材と、を備え、前記化粧パネルには、前記第３雌ネジにねじ込まれる第３雄ネジが貫通する第３貫通穴が形成されており、前記第１雌ネジにねじ込まれた前記第１雄ネジの頭部と前記第１接続部材の下面との間で前記第２接続部材を挟み込むことにより、前記室内機本体に前記ケースメントが固定され、前記第２雌ネジにねじ込まれた前記第２雄ネジの頭部と前記第３接続部材の下面との間で前記第４接続部材を挟み込むことにより、前記第３接続部材に前記第４接続部材が固定され、前記第３接続部材に前記第４接続部材が固定された状態において、前記第３雌ネジにねじ込まれた前記第３雄ネジの頭部と前記第４接続部材の下面との間で前記化粧パネルを挟み込むことにより、前記ケースメントに前記化粧パネルが固定される構成であり、前記第４接続部材を移動させることにより、前記第１雄ネジの下方に、該第１雄ネジをねじ込む工具が挿入自在な空間が形成される構成となっている。
【発明の効果】
【０００９】  本発明に係る空気調和機の室内機においては、ケースメントを室内機本体に固定する際、据付機構の構成部品を取外す必要がない。このため、本発明に係る空気調和機の室内機においては、ケースメントを室内機本体に固定する際、据付機構の構成部品を仮置きする必要がない。したがって、本発明に係る空気調和機の室内機は、従来よりも据付作業性を向上させることが出来る。
【図面の簡単な説明】
【００１０】
【図１】本発明の実施の形態に係る空気調和機の室内機全体を斜め下から見た斜視図である。
【図２】本発明の実施の形態に係る空気調和機の室内機全体の縦断面図である。
【図３】本発明の実施の形態に係る空気調和機の室内機における据付機構周辺の縦断面図である。
【図４】本発明の実施の形態に係る空気調和機の室内機における据付機構周辺の斜視図である。
【図５】本発明の実施の形態に係る空気調和機の室内機における据付機構周辺の斜視図である。
【図６】本発明の実施の形態に係る空気調和機の室内機における据付機構周辺の斜視図である。
【図７】本発明の実施の形態に係る空気調和機の室内機における据付機構周辺の斜視図である。
【図８】本発明の実施の形態に係る空気調和機の室内機における据付機構周辺の斜視図である。
【発明を実施するための形態】
【００１１】  以下、本発明に係る空気調和機の室内機の実施の形態の一例について具体的に説明する。
【００１２】実施の形態．  図１は、本発明の実施の形態に係る空気調和機の室内機全体を斜め下から見た斜視図である。また、図２は、本発明の実施の形態に係る空気調和機の室内機全体の縦断面図である。  本実施の形態に係る空気調和機の室内機１００は、部屋等の空調対象空間の天井に埋め込まれて、あるいは空調対象空間の天井に吊り下げられて設置されるものである。この室内機１００は、下面部に吸込口２及び吹出口３が開口した筐体１を備えている。なお、本実施の形態では、４つの吹出口３が形成された例を示している。筐体１は、例えば、内部が空洞となった略直方体形状の箱体である。吸込口２は、例えば、筐体１の下面部の略中央部に開口している。４つの吹出口３は、吸込口２の四方を囲むように開口している。これら吹出口３は、例えば長方形状をしており、長辺が筐体１の下面部の各辺に沿うように配置されている。また、吸込口２には、吸込グリル２ａ及びフィルタ９が設けられている。
【００１３】  また、筐体１の内部には、吸込口２と対向する位置に、例えばターボファン等の遠心ファンである送風機６が設けられている。例えば、送風機６の中心軸は、平面視において吸込口２の中心と略同位置に配置されている。送風機６は、空調対象空間の空気を吸込口２から筐体１内に吸い込み、吹出口３から吹き出すものである。また、筐体１の内部には、送風機６を囲むように、例えばフィンアンドチューブ型の熱交換器７が設けられている。熱交換器７は、該熱交換器７の内部に流れる冷媒と、送風機６によって筐体１内に吸い込まれた空調対象空間の空気と、を熱交換させるものである。
【００１４】  この熱交換器７は、平面視において、吸込口２の外周側であり、吹出口３の内周側となる位置に配置されている。すなわち筐体１には、吸込口２と熱交換器７とを連通させる吸込流路４と、熱交換器７と吹出口３とを連通させる吹出流路５とが形成されている。このため、図２に吸込空気１０１及び吹出空気１０２として矢印で示すように、送風機６が回転することによって、空調対象空間の空気は、吸込口２から筐体１内に吸い込まれ、吸込流路４を通って熱交換器７に流入する構成となっている。また、熱交換器７に流入した空調対象空間の空気は、熱交換器７を通る際に該熱交換器７の冷媒流路内を流れる冷媒と熱交換して空調空気となり、吹出流路５を通って吹出口３から空調対象空間へ吹き出される構成となっている。
【００１５】  なお、本実施の形態では４つの吹出口３が形成されているため、吹出流路５も４つ形成されることとなる。また、吹出流路５の断面形状は、吹出口３と同様に、例えば長方形状をしており、長辺が筐体１の下面部の各辺に沿うよう形状となっている。また、本実施の形態に係る室内機１００は、吸込口２と送風機６との間に、吸込口２から吸込流路４内に吸い込まれた空調対象空間の空気を送風機６へ導くベルマウス８も備えている。
【００１６】  また、本実施の形態に係る室内機１００は、吹出流路５に、吹出口３から吹き出される空調空気の角度を調節する上下風向調節板５１及び複数の左右風向調節板４１が揺動自在に設けられている。
【００１７】  上下風向調節板５１は、吹出口３から吹き出される空調空気の上下方向の角度を調節するものである。この上下風向調節板５１は、吹出流路５の長手方向に延びる板状部材である。また、上下風向調節板５１は、吹出流路５の長手方向に延びる回転軸を中心として、上下方向に揺動する構成となっている。上下風向調節板５１の上下方向の揺動は、駆動モーター等である駆動装置５２で行われる。このため、上下風向調節板５１の外周側端部の位置が上方へ行くほど、吹出口３から吹き出される空調空気は、水平方向に近い角度で吹き出されることとなる。また、上下風向調節板５１の外周側端部の位置が下方へ行くほど、吹出口３から吹き出される空調空気は、下方向に吹き出されることとなる。
【００１８】  複数の左右風向調節板４１は、左右風向調節部４０の構成部品である。左右風向調節部４０は、吹出口３から吹き出される空調空気の横方向の角度を調節するものである。左右風向調節部４０は、吹出口３毎に設けられている。複数の左右風向調節板４１は、吹出流路５内において、吹出流路５の長手方向（横方向）に、規定の間隔を空けて配置されている。左右風向調節板４１のそれぞれは、揺動自在に吹出流路５内に配置されている。例えば、左右風向調節板４１のそれぞれは、下端部が左右方向に揺動する。そして、左右風向調節板４１の下端部が移動した方向に、吹出口３から吹き出される空調空気は曲がって吹き出されることとなる。左右風向調節板４１の揺動は、左右風向調節部４０の図示せぬ駆動モーターの動力によって行われる。
【００１９】  ここで、本実施の形態では、室内機本体１０、ケースメント２０及び化粧パネル３０で筐体１を構成している。
【００２０】  室内機本体１０は、例えば、平面視において角部に面取り形状を有する、略直方体形状の箱体である。室内機本体１０には、送風機６、熱交換器７及びベルマウス８が収納されている。また、室内機本体１０には、吸込流路４の一部を構成する第１吸込流路１４と、吹出流路５の一部を構成する第１吹出流路１５とが形成されている。第１吸込流路１４における熱交換器７とは反対側の端部は、例えば、室内機本体１０の下面部の略中央部に開口している。第１吹出流路１５における熱交換器７とは反対側の端部は、室内機本体１０の下面部において、第１吸込流路１４の開口部の四方を囲むように開口している。また、室内機本体１０には、第１吸込流路１４を区画する内周壁に、ケースメント２０を仮固定する際に用いられる仮掛けフック１２が設けられている。また、室内機本体１０の外周部には、室内機本体１０を空調対象空間の天井に吊り下げる際に用いられる据付金具１１が設けられている。
【００２１】  ケースメント２０は、室内機本体１０の下部に取り付けられるものである。ケースメント２０は、平面視において、室内機本体１０と略同形状をしている。すなわち、ケースメント２０は、平面視において、角部に面取り形状を有する略直方体形状をしている。このケースメント２０には、第２吸込流路２４と、第２吹出流路２５とが形成されている。第２吸込流路２４は、吸込流路４の一部を構成し、第１吸込流路１４と連通している。第２吸込流路２４は、平面視においてケースメント２０の略中央部に形成された貫通穴である。第２吹出流路２５は、吹出流路５の一部を構成し、第１吹出流路１５と連通している。第２吹出流路２５は、平面視において第２吸込流路２４の四方を囲むように形成された貫通穴である。
【００２２】  また、ケースメント２０には、第２吸込流路２４を区画する内周壁２６に、化粧パネル３０を仮固定する際に用いられる仮掛けフック２３が設けられている。内周壁２６には、室内機本体１０にケースメント２０を仮固定する際に、仮掛けフック１２に引っ掛ける仮掛けワイヤ２９も設けられている。また、ケースメント２０の上面部には、シール材９１が設けられている。シール材９１は、室内機本体１０にケースメント２０を固定した際、吸込流路４（第１吸込流路１４及び第２吸込流路２４）と吹出流路５（第１吹出流路１５及び第２吹出流路２５）とを仕切るものである。なお、室内機本体１０とケースメント２０とは、据付機構７０により、接続されて固定される。据付機構７０の詳細は後述する。
【００２３】  ここで、本実施の形態においては、後述の左右風向調節部４０は、ケースメント２０に設けられている。すなわち、上述の左右風向調節板４１は、第２吹出流路２５に、揺動自在に配置されている。
【００２４】  化粧パネル３０は、ケースメント２０の下部に取り付けられるものであり、例えば略矩形形状の板状体である。つまり、化粧パネル３０は、筐体１の下面部を構成するものである。この化粧パネル３０には、吸込口２と、第３吸込流路３４と、第３吹出流路３５と、吹出口３とが形成されている。第３吸込流路３４は、吸込流路４の一部を構成し、第２吸込流路２４及び吸込口２と連通している。第３吸込流路３４は、平面視において化粧パネル３０の略中央部に形成された貫通穴である。第３吹出流路３５は、吹出流路５の一部を構成し、第２吹出流路２５及び吹出口３と連通している。第３吹出流路３５は、平面視において第３吸込流路３４の四方を囲むように形成された貫通穴である。
【００２５】  また、化粧パネル３０には、第３吸込流路３４を区画する内周壁に、仮掛けワイヤ３２が設けられている。仮掛けワイヤ３２は、ケースメント２０に化粧パネル３０を仮固定する際に、仮掛けフック２３に引っ掛けるものである。また、化粧パネル３０の上面部には、シール材９２が設けられている。シール材９２は、ケースメント２０に化粧パネル３０を固定した際、吸込流路４（第２吸込流路２４及び第３吸込流路３４）と吹出流路５（第２吹出流路２５及び第３吹出流路３５）とを仕切るものである。なお、ケースメント２０と化粧パネル３０とは、据付機構７０により、接続されて固定される。
【００２６】  ここで、本実施の形態においては、上述の上下風向調節板５１は第３吹出流路３５に、揺動自在に配置されている。また、上下風向調節板５１を揺動させる駆動装置５２は、化粧パネル３０に設けられている。
【００２７】  空調対象空間の天井に埋め込まれて、あるいは空調対象空間の天井に吊り下げられて設置される空気調和機の室内機には、コスト削減等の観点から、左右風向調節部４０を設けていないものが要求される場合がある。このような場合、左右風向調節部を備えた室内機においては、該左右風向調節部を室内機から取り外すこととなる。これにより、左右風向調節部の要不要にかかわらず、筐体を兼用出来るからである。このため、本実施の形態に係る室内機１００においても、左右風向調節部４０が不要な場合、該左右風向調節部４０を室内機１００から取り外すこととなる。
【００２８】  ここで、室内機本体１０とケースメント２０とを一体形成していた場合、すなわち、室内機本体１０の下部を延ばして、該延ばした箇所をケースメント２０としていた場合、左右風向調節部４０は、室内機本体１０に設けられることとなる。このような場合、左右風向調節部４０を室内機１００から取り外すと、室内機本体１０には、左右風向調節部４０が設置されていた空間が存在することとなる。したがって、左右風向調節部４０が不要な場合、ケースメント２０が一体形成された室内機本体１０は、必要以上に大型化してしまう。すなわち、室内機本体１０とケースメント２０とが一体形成されていた場合、左右風向調節部４０が不要な際には、室内機１００が必要以上に大型化してしまう。
【００２９】  しかしながら、本実施の形態に係る室内機１００においては、上述のように、室内機本体１０とケースメント２０とを別体で構成し、左右風向調節部４０をケースメント２０に設けている。このため、本実施の形態に係る室内機１００においては、左右風向調節部４０が不要な際、ケースメント２０を取り外し、化粧パネル３０を室内機本体１０の下部に取り付ければよい。これにより、左右風向調節部４０が不要な際に、室内機１００が必要以上に大型化してしまうことを防止出来る。
【００３０】  続いて、据付機構７０の詳細について説明する。
【００３１】  図３は、本発明の実施の形態に係る空気調和機の室内機における据付機構周辺の縦断面図である。また、図４〜図８は、本発明の実施の形態に係る空気調和機の室内機における据付機構周辺の斜視図である。なお、図４は、室内機本体１０、ケースメント２０及び化粧パネル３０を未だ固定していない状態の据付機構７０を示す図であり、第４接続部材７４を第３接続部材７３から取り外した状態を示す図である。また、図５は、室内機本体１０、ケースメント２０及び化粧パネル３０を未だ固定していない状態の据付機構７０を示す図であり、第４接続部材７４が化粧パネル３０の接続位置に配置されている状態を示す図である。また、図６は、室内機本体１０にケースメント２０を固定している途中の据付機構７０を示す図であり、第４接続部材７４が化粧パネル３０の接続位置から待避位置に移動している状態を示す図ある。また、図７は、室内機本体１０にケースメント２０が固定された状態において、ケースメント２０に化粧パネル３０を固定している途中の据付機構７０を示す図であり、第４接続部材７４が化粧パネル３０の接続位置に配置されている状態を示す図である。また、図８は、室内機本体１０にケースメント２０が固定され、ケースメント２０に化粧パネル３０が固定された状態を示す据付機構７０を示す図である。  以下、図３〜図８と、上述した図１及び図２とを用いて、据付機構７０の詳細について説明する。
【００３２】  上述のように、据付機構７０は、室内機本体１０とケースメント２０とを接続して固定し、ケースメント２０と化粧パネル３０とを接続して固定するものである。据付機構７０は、図１に示すように、例えば、室内機本体１０及びケースメント２０の各角部に設けられている。
【００３３】  据付機構７０は、第１接続部材７１と、第２接続部材７２と、第３接続部材７３と、第４接続部材７４とを備えている。なお、本実施の形態に係る据付機構７０の第１接続部材７１は、室内機本体１０を空調対象空間の天井に吊り下げる際に用いられる据付金具１１と一体形成されている。第１接続部材７１と一体形成された据付金具１１は、室内機本体１０に取り付けられている。据付金具１１は、吊りボルト８６が挿入される切り欠き部１１ａを有する。切り欠き部１１ａに吊りボルト８６を挿入し、吊りボルト８６に取り付けられた一対のナットで据付金具１１を挟み込むことで、室内機本体１０は、空調対象空間の天井に吊り下げられる。
【００３４】  第１接続部材７１は、室内機本体１０に取り付けられている。第１接続部材７１には、第１雌ネジである雌ネジ７１ａが形成されている。雌ネジ７１ａは、第１雄ネジである雄ネジ８１がねじ込まれる雌ネジである。第２接続部材７２は、第１接続部材７１の下方となる位置においてケースメント２０に取り付けられている。第２接続部材７２には、第１貫通穴である貫通穴７２ａが形成されている。貫通穴７２ａは、雄ネジ８１が貫通する貫通穴である。ここで、本実施の形態では、雄ネジ８１は、可撓性を有する雄ネジ保持部材７２ｂに保持されている。また、雄ネジ保持部材７２ｂは、第２接続部材７２に取り付けられている。なお、雄ネジ保持部材７２ｂは、ケースメント２０に取り付けられていれば、第２接続部材７２以外の部品に取り付けられていてもよい。
【００３５】  第３接続部材７３は、第２接続部材７２の下方となる位置においてケースメント２０に取り付けられている。第３接続部材７３には、第２雌ネジである雌ネジ７３ａが形成されている。雌ネジ７３ａは、第２雄ネジである雄ネジ８２がねじ込まれる雌ネジである。本実施の形態では、雌ネジ７３ａは、後述の凸部７３ｄに形成されている。
【００３６】  第４接続部材７４は、第３接続部材７３に摺動自在に設けられている。詳しくは、第４接続部材７４は、上下方向に延びる上下方向配置部７４ｆと、横方向に延びる横方向配置部７４ｇと、を有している。すなわち、第４接続部材７４は、上下方向配置部７４ｆ及び横方向配置部７４ｇによって、断面Ｌ字状に形成されている。そして、第４接続部材７４には、十字穴７４ａが形成されている。この十字穴７４ａは、第２貫通穴である貫通穴７４ｂと、第４貫通穴である貫通穴７４ｃとで形成されている。貫通穴７４ｃは、横方向に延びる貫通穴であり、上下方向配置部７４ｆに形成されている。貫通穴７４ｂは、貫通穴７４ｃと交差するように延びる貫通穴であり、横方向配置部７４ｇから上下方向配置部７４ｆに跨がって形成されている。一方、第３接続部材７３は、ケースメント２０から外周側に向かって突出している凸部７３ｄを備えている。すなわち、第３接続部材７３は、横方向に突出する凸部７３ｄを備えている。そして、凸部７３ｄは、第４接続部材７４の貫通穴７４ｃに摺動自在に挿入されている。これにより、第４接続部材７４は、第３接続部材７３に対して摺動自在となっている。そして、第４接続部材７４をケースメント２０に近づけるように移動することにより、第４接続部材７４は、図５及び図７に示す化粧パネル３０の接続位置となる。また、第４接続部材７４をケースメント２０から遠ざかるように移動することにより、第４接続部材７４は、図６に示す待避位置となる。
【００３７】  なお、化粧パネル３０の接続位置において、第４接続部材７４は、次のように第３接続部材７３に固定される。まず、第４接続部材７４を、化粧パネル３０の接続位置に配置する。そして、貫通穴７４ｂにおける横方向配置部７４ｇに形成されている部分に雄ネジ８２を貫通させ、該雄ネジ８２を下方から雌ネジ７３ａにねじ込んでいく。これにより、雄ネジ８２の頭部と第３接続部材７３の下面との間に第４接続部材７４が挟み込まれ、第４接続部材７４は第３接続部材７３に固定される。一方、第４接続部材７４を待避位置に移動する場合、雄ネジ８２を緩める。これにより、第４接続部材７４は、第３接続部材７３に対して摺動可能となり、待避位置へ移動することができる。この際、雄ネジ８２における雌ネジ７３ａよりも上方に突出した部分は、貫通穴７４ｂにおける上下方向配置部７４ｆに形成されている部分を通過する。このため、化粧パネル３０の接続位置と待避位置との間を第４接続部材７４が移動する際、第４接続部材７４と雄ネジ８２との干渉を防止できる。
【００３８】  ここで、第４接続部材７４が化粧パネル３０の接続位置に配置されている状態においては、第３接続部材７３の上下方向配置部７４ｆは、雄ネジ８２とケースメント２０との間に配置される。すなわち、ケースメント２０に化粧パネル３０が固定された状態においては、第３接続部材７３の上下方向配置部７４ｆは、雄ネジ８２とケースメント２０との間に配置される。そして、本実施の形態では、雄ネジ８２が雌ネジ７３ａに規定長さ以上ねじ込まれた状態においては、貫通穴７４ｂの上端７４ｄは雄ネジ８２の先端８２ａより低い位置となる。貫通穴７４ｂの上端７４ｄと雄ネジ８２の先端８２ａとの高さ関係をこのようにすることで、雄ネジ８２の締め付け不足及び振動等によって第４接続部材７４を固定している雄ネジ８２に緩みが生じた場合でも、雄ネジ８２が上下方向配置部７４ｆに引っ掛かる。このため、雄ネジ８２に緩みが生じた場合でも、第４接続部材７４が第３接続部材７３から外れることを防止できる。
【００３９】  また、本実施の形態に係る据付機構７０は、第３接続部材７３の凸部７３ｄが第４接続部材７４の貫通穴７４ｃから抜け出ることを防止するストッパー７３ｂを備えている。本実施の形態では、凸部７３ｄの先端部を折り曲げ、ストッパー７３ｂを形成している。ストッパー７３ｂを設けることにより、第４接続部材７４をケースメント２０から遠ざかるように移動させた際、第４接続部材７４の上下方向配置部７４ｆがストッパー７３ｂに接触し、第４接続部材７４が第３接続部材７３から外れることを防止できる。なお、ストッパー７３ｂは、第３接続部材７３とは別部品となっていてもよい。
【００４０】  また、本実施の形態に係る第３接続部材７３の凸部７３ｄは、第４接続部材７４が待避位置に移動した際に貫通穴７４ｃと対向する位置に、切り欠き部７３ｃを有している。換言すると、図６に示すように、第４接続部材７４が待避位置に移動すると、雄ネジ８３の下方に、該雄ネジ８３をねじ込む工具８５が挿入自在な空間７５が形成される。第３接続部材７３の凸部７３ｄは、空間７５が形成される位置に第４接続部材７４が移動した状態において貫通穴７４ｃと対向する位置に、切り欠き部７３ｃを有している。このため、切り欠き部７３ｃに貫通穴７４ｃの周縁をかみ合わせることにより、第４接続部材７４が第３接続部材７３に固定されることとなる。第３接続部材７３の凸部７３ｄが切り欠き部７３ｃを有していない場合、第４接続部材７４は、第３接続部材７３に固定されずに、第３接続部材７３の凸部７３ｄにぶら下がった状態となる。この状態では、第４接続部材７４は、重力により、貫通穴７４ｃを中心点として横方向配置部７４ｇが下側へ回転するように傾く。このため、第３接続部材７３の凸部７３ｄが切り欠き部７３ｃを有していない場合、空間７５が小さくなる場合がある。一方、第３接続部材７３の凸部７３ｄが切り欠き部７３ｃを有している場合、待避位置で第４接続部材７４を固定できる。このため、上述のような第４接続部材７４の傾きを抑制でき、空間７５が小さくなることを抑制できる。
【００４１】  また、第４接続部材７４には、第３雌ネジである雌ネジ７４ｅが形成されている。雌ネジ７４ｅは、第３雄ネジである雄ネジ８３がねじ込まれる雌ネジである。なお、図１及び図７に示すように、化粧パネル３０には、各角部３１に、第３貫通穴である貫通穴３０ａが形成されている。貫通穴３０ａを貫通した雄ネジ８３が、雌ネジ７４ｅにねじ込まれる。
【００４２】  すなわち、雄ネジ８１を下方から雌ネジ７１ａにねじ込んでいくことにより、雄ネジ８１の頭部と第１接続部材７１の下面との間に、第２接続部材７２が挟み込まれる。これにより、ケースメント２０は、室内機本体１０に固定される。また、第４接続部材７４が図５及び図７に示す化粧パネル３０の接続位置で第３接続部材７３に固定された状態において、雄ネジ８３を下方から雌ネジ７４ｅにねじ込んでいくことにより、雄ネジ８３の頭部と第４接続部材７４の下面との間に、化粧パネル３０が挟み込まれる。これにより、化粧パネル３０は、ケースメント２０に固定される。なお、本実施の形態に係る化粧パネル３０は、貫通穴３０ａを下方から覆うコーナーパネル３０ｂを備えている。化粧パネル３０をケースメント２０に固定後に、すなわち室内機１００を据付後に貫通穴３０ａをコーナーパネル３０ｂで覆うことにより、室内機１００の意匠性を向上させることができる。
【００４３】  ここで、本実施の形態に係る据付機構７０では、平面視において、第１接続部材７１の雌ネジ７１ａの位置と、化粧パネル３０の接続位置に配置された第４接続部材７４の雌ネジ７４ｅとは、同位置となっている。すなわち、平面視において、ケースメント２０を室内機本体１０に固定する位置と、化粧パネル３０をケースメント２０に固定する位置とが、同じになっている。このように構成することにより、左右風向調節部４０が不要な際に化粧パネル３０を室内機本体１０の下部に取り付ける場合、雄ネジ８３を第１接続部材７１の雌ネジ７１ａにねじ込むこととで、化粧パネル３０を室内機本体１０に固定することが出来る。すなわち、室内機１００にケースメント２０を設ける場合と、室内機１００にケースメント２０を設けない場合とで、筐体１の構成部品を接続する構成を共通化出来る。
【００４４】  一方、平面視において、第１接続部材７１の雌ネジ７１ａの位置と、化粧パネル３０の接続位置に配置された第４接続部材７４の雌ネジ７４ｅとを同位置とした場合、次のような課題が発生する。本実施の形態に係る室内機１００は、部屋等の空調対象空間の天井に埋め込まれて、あるいは空調対象空間の天井に吊り下げられて設置されるものである。このような室内機１００においては、据付作業者は、室内機１００の下方から据付作業を行う。すなわち、ケースメント２０を室内機本体１０に固定する際、雌ネジ７１ａにねじ込まれる雄ネジ８１に下方からドライバー等の工具８５を接続し、該雄ネジ８１を回す必要がある。この際、第４接続部材７４が雄ネジ８１の下方を覆ってしまうため、雄ネジ８１に工具８５を接続することが困難となる。
【００４５】  しかしながら、本実施の形態に係る据付機構７０においては、第４接続部材７４は、第３接続部材７３に摺動自在に設けられている。このため、図６に示すように、第４接続部材７４を待避位置に移動させることにより、雄ネジ８１の下方には、工具８５が挿入自在な空間７５が形成される。したがって、本実施の形態に係る据付機構７０においては、下方から雄ネジ８１にドライバー等の工具８５を接続し、該雄ネジ８１を回すことが出来る。
【００４６】  続いて、本実施の形態に係る室内機１００の据付動作について説明する。  室内機１００を据え付ける際、まず、据付金具１１を用いて、送風機６及び熱交換器７等が設けられた室内機本体１０を空調対象空間の天井に設けた吊りボルト８６に取り付ける。そして、室内機本体１０の下部に、ケースメント２０を取り付ける。具体的には、まず、図２に示すように、ケースメント２０の仮掛けワイヤ２９を室内機本体１０の仮掛けフック１２に引っ掛け、室内機本体１０にケースメント２０を仮固定する。そして、図６に示すように、雄ネジ８１を下方から雌ネジ７１ａにねじ込んでいくことにより、雄ネジ８１の頭部と第１接続部材７１の下面との間に、ケースメント２０に設けられた第２接続部材７２を挟み込む。これにより、ケースメント２０は、室内機本体１０に固定される。
【００４７】  なお、雄ネジ８１を雌ネジ７１ａにねじ込んでいく際、第４接続部材７４が図５に示す化粧パネル３０の接続位置にあると、工具８５を雄ネジ８１に接続することができない。このため、雄ネジ８１を雌ネジ７１ａにねじ込む前に、雄ネジ８２を緩めて、第４接続部材７４を図６に示す待避位置へ移動させる。具体的には、図６に先端塗りつぶしの矢印で示すように、第４接続部材７４をケースメント２０から遠ざかるように移動させ、その後に第４接続部材７４を切り欠き部７３ｃの形成方向にスライドさせる。これにより、切り欠き部７３ｃに貫通穴７４ｃの周縁がかみ合い、第４接続部材７４が第３接続部材７３に固定される。
【００４８】  ここで、本実施の形態に係る据付機構７０では、上述のように、雄ネジ８１は、可撓性を有する雄ネジ保持部材７２ｂに保持されている。雄ネジ８１が雄ネジ保持部材７２ｂに保持されていない場合、工具８５の先端に雄ネジ８１を取り付け、この状態で工具８５及び雄ネジ８１を空間７５に通し、雄ネジ８１を雌ネジ７１ａにねじ込むこととなる。このような作業では、雄ネジ８１を雌ネジ７１ａにねじ込む前に、雄ネジ８１を落下させてしまう場合がある。しかしながら、雄ネジ８１が雄ネジ保持部材７２ｂに保持されている場合、雄ネジ８１を雌ネジ７１ａにねじ込む作業において、雄ネジ８１が落下することはない。このため、雄ネジ８１を雄ネジ保持部材７２ｂに保持することにより、据付作業性を向上させることができる。また、雄ネジ８１が落下しないことにより、据付作業時の安全性を向上させることもできる。なお、雄ネジ保持部材７２ｂは、可撓性を有しているので、雄ネジ８１を雌ネジ７１ａにねじ込む際に変形できる。このため、雄ネジ８１を雄ネジ保持部材７２ｂに保持しても、雄ネジ８１が雌ネジ７１ａにねじ込みづらくなるということはない。
【００４９】  ケースメント２０を室内機本体１０の下部へ取り付けた後、化粧パネル３０をケースメント２０の下部に取り付ける。具体的には、図７に示すように、まず、第４接続部材７４を、化粧パネル３０の接続位置に移動させる。そして、雄ネジ８２を下方から雌ネジ７３ａにねじ込んでいくことにより、雄ネジ８２の頭部と第３接続部材７３の下面との間に、第４接続部材７４を挟み込む。これにより、第４接続部材７４は、第３接続部材７３に固定される。
【００５０】  第４接続部材７４を化粧パネル３０の接続位置で固定した後、図２に示すように、化粧パネル３０の仮掛けワイヤ３２をケースメント２０の仮掛けフック２３に引っ掛け、ケースメント２０に化粧パネル３０を仮固定する。そして、図１及び図７に示すように、雄ネジ８３を下方から雌ネジ７４ｅにねじ込んでいくことにより、雄ネジ８３の頭部と第４接続部材７４の下面との間に、化粧パネル３０が挟み込まれる。これにより、化粧パネル３０は、ケースメント２０に固定される。なお、上述のように、本実施の形態に係る化粧パネル３０は、貫通穴３０ａを下方から覆うコーナーパネル３０ｂを備えている。このため、図８に示すように、化粧パネル３０をケースメント２０に固定後、貫通穴３０ａをコーナーパネル３０ｂで覆う。
【００５１】  このように、本実施の形態に係る室内機１００においては、化粧パネル３０をケースメント２０の下部に取り付ける際、第４接続部材７４を取り外し、取り外した第４接続部材７４を仮置きする必要がない。また、本実施の形態に係る室内機１００においては、第４接続部材７４を床面に落下させる心配がない。また、本実施の形態に係る室内機１００においては、化粧パネル３０をケースメント２０の下部に取り付ける際、作業者は、両手で取り付け作業を行うことが出来る。このため、本実施の形態に係る室内機１００は、室内機１００の据付作業性を向上させることが出来る。
【符号の説明】
【００５２】  １  筐体、２  吸込口、２ａ  吸込グリル、３  吹出口、４  吸込流路、５  吹出流路、６  送風機、７  熱交換器、８  ベルマウス、９  フィルタ、１０  室内機本体、１１  据付金具、１１ａ  切り欠き部、１２  仮掛けフック、１４  第１吸込流路、１５  第１吹出流路、２０  ケースメント、２３  仮掛けフック、２４  第２吸込流路、２５  第２吹出流路、２６  内周壁、２９  仮掛けワイヤ、３０  化粧パネル、３０ａ  貫通穴、３０ｂ  コーナーパネル、３１  角部、３２  仮掛けワイヤ、３４  第３吸込流路、３５  第３吹出流路、４０  左右風向調節部、４１  左右風向調節板、５１  上下風向調節板、５２  駆動装置、７０  据付機構、７１  第１接続部材、７１ａ  雌ネジ、７２  第２接続部材、７２ａ  貫通穴、７２ｂ  雄ネジ保持部材、７３  第３接続部材、７３ａ  雌ネジ、７３ｂ  ストッパー、７３ｃ  切り欠き部、７３ｄ  凸部、７４  第４接続部材、７４ａ  十字穴、７４ｂ  貫通穴、７４ｃ  貫通穴、７４ｄ  上端、７４ｅ  雌ネジ、７４ｆ  上下方向配置部、７４ｇ  横方向配置部、７５  空間、８１  雄ネジ、８２  雄ネジ、８２ａ  先端、８３  雄ネジ、８５  工具、８６  吊りボルト、９１  シール材、９２  シール材、１００  室内機、１０１  吸込空気、１０２  吹出空気。
【図１】
2019123638.tif 000003
【図２】
2019123638.tif 000004
【図３】
2019123638.tif 000005
【図４】
2019123638.tif 000006
【図５】
2019123638.tif 000007
【図６】
2019123638.tif 000008
【図７】
2019123638.tif 000009
【図８】
2019123638.tif 000010
【手続補正書】
【提出日】令和2年2月6日(2020.2.6)
【手続補正１】
【補正対象書類名】明細書
【補正対象項目名】０００８
【補正方法】変更
【補正の内容】
【０００８】
本発明に係る空気調和機の室内機は、室内機本体と、前記室内機本体の下部に取り付けられたケースメントと、前記ケースメントの下部に取り付けられた化粧パネルと、前記室内機本体と前記ケースメントとを固定し、前記ケースメントと前記化粧パネルとを固定する据付機構と、を備え、前記据付機構は、前記室内機本体に取り付けられ、第１雌ネジが形成された第１接続部材と、前記第１接続部材の下方となる位置において前記ケースメントに取り付けられ、前記第１雌ネジにねじ込まれる第１雄ネジが貫通する第１貫通穴が形成された第２接続部材と、前記第２接続部材の下方となる位置において前記ケースメントに取り付けられ、第２雌ネジが形成された第３接続部材と、前記第３接続部材に摺動自在に設けられ、前記第２雌ネジにねじ込まれる第２雄ネジが貫通する第２貫通穴と、第３雌ネジが形成された第４接続部材と、を備え、前記化粧パネルには、前記第３雌ネジにねじ込まれる第３雄ネジが貫通する第３貫通穴が形成されており、前記第１雌ネジにねじ込まれた前記第１雄ネジの頭部と前記第１接続部材の下面との間で前記第２接続部材を挟み込むことにより、前記室内機本体に前記ケースメントが固定され、前記第２雌ネジにねじ込まれた前記第２雄ネジの頭部と前記第３接続部材の下面との間で前記第４接続部材を挟み込むことにより、前記第３接続部材に前記第４接続部材が固定され、前記第３接続部材に前記第４接続部材が固定された状態において、前記第３雌ネジにねじ込まれた前記第３雄ネジの頭部と前記第４接続部材の下面との間で前記化粧パネルを挟み込むことにより、前記ケースメントに前記化粧パネルが固定される構成であり、前記第４接続部材を移動させることにより、前記第１雄ネジの下方に、該第１雄ネジをねじ込む工具が挿入自在な空間が形成される構成であり、前記第４接続部材には、第４貫通穴が形成され、前記第３接続部材は、横方向に突出し、前記第４貫通穴に摺動自在に挿入された凸部を有し、前記凸部が前記第４貫通穴から抜け出ることを防止するストッパーを備えている。
【手続補正２】
【補正対象書類名】特許請求の範囲
【補正対象項目名】全文
【補正方法】変更
【補正の内容】
【特許請求の範囲】
【請求項１】
室内機本体と、
前記室内機本体の下部に取り付けられたケースメントと、
前記ケースメントの下部に取り付けられた化粧パネルと、
前記室内機本体と前記ケースメントとを固定し、前記ケースメントと前記化粧パネルとを固定する据付機構と、
を備え、
前記据付機構は、
前記室内機本体に取り付けられ、第１雌ネジが形成された第１接続部材と、
前記第１接続部材の下方となる位置において前記ケースメントに取り付けられ、前記第１雌ネジにねじ込まれる第１雄ネジが貫通する第１貫通穴が形成された第２接続部材と、
前記第２接続部材の下方となる位置において前記ケースメントに取り付けられ、第２雌ネジが形成された第３接続部材と、
前記第３接続部材に摺動自在に設けられ、前記第２雌ネジにねじ込まれる第２雄ネジが貫通する第２貫通穴と、第３雌ネジが形成された第４接続部材と、
を備え、
前記化粧パネルには、前記第３雌ネジにねじ込まれる第３雄ネジが貫通する第３貫通穴が形成されており、
前記第１雌ネジにねじ込まれた前記第１雄ネジの頭部と前記第１接続部材の下面との間で前記第２接続部材を挟み込むことにより、前記室内機本体に前記ケースメントが固定され、
前記第２雌ネジにねじ込まれた前記第２雄ネジの頭部と前記第３接続部材の下面との間で前記第４接続部材を挟み込むことにより、前記第３接続部材に前記第４接続部材が固定され、
前記第３接続部材に前記第４接続部材が固定された状態において、前記第３雌ネジにねじ込まれた前記第３雄ネジの頭部と前記第４接続部材の下面との間で前記化粧パネルを挟み込むことにより、前記ケースメントに前記化粧パネルが固定される構成であり、
前記第４接続部材を移動させることにより、前記第１雄ネジの下方に、該第１雄ネジをねじ込む工具が挿入自在な空間が形成される構成であり、
前記第４接続部材には、第４貫通穴が形成され、
前記第３接続部材は、横方向に突出し、前記第４貫通穴に摺動自在に挿入された凸部を有し、
前記凸部が前記第４貫通穴から抜け出ることを防止するストッパーを備えた空気調和機の室内機。
【請求項２】
前記凸部は、前記空間が形成される位置に前記第４接続部材が移動した状態において前記第４貫通穴と対向する位置に、切り欠き部を有し、
前記切り欠き部に前記第４貫通穴の周縁をかみ合わせることにより、前記第４接続部材が固定される構成である請求項１に記載の空気調和機の室内機。
【請求項３】
前記第２雄ネジを備え、
前記第４接続部材は、上下方向に延びる上下方向配置部と横方向に延びる横方向配置部とを有し、前記上下方向配置部及び前記横方向配置部によって断面Ｌ字状に形成され、
前記第２貫通穴は、前記横方向配置部から前記上下方向配置部に跨がって形成され、
前記ケースメントに前記化粧パネルが固定された状態においては、前記上下方向配置部は、前記第２雄ネジと前記ケースメントとの間に配置され、
前記第２雄ネジが前記第２雌ネジに規定長さ以上ねじ込まれた状態においては、前記第２貫通穴の上端は前記第２雄ネジの先端より低い位置となる請求項１又は２に記載の空気調和機の室内機。
【請求項４】
前記第１雄ネジと、
可撓性を有し、前記第１雄ネジを保持し、前記ケースメントに取り付けられた雄ネジ保持部材と、
を備えた請求項１〜３のいずれか一項に記載の空気調和機の室内機。
【国際調査報告】
2019123638.tif 000011
2019123638.tif 000012
2019123638.tif 000013
2019123638.tif 000014